(57)【特許請求の範囲】
【請求項１】
袋状の水容器が床下空間等の容積が一定な空間部に配置され、特定の熱源の熱により内部の水が循環流動することによって水容器全体を介して床等の伝熱対象に対して伝熱するよう構成した冷暖房構造において、水容器と当該水容器配置空間の間には変形と原形復帰が可能な変形材が配置され、当該変形材により水容器と水容器配置空間との間に一定の空間が確保されるよう構成し、当該変形材の変形により水容器内の水の氷結時における水容器体積の増加の吸収、及び氷解後の水容器の体積減少時における前記伝熱対象に対する水容器の密着を確保するよう構成したことを特徴とする水容器を用いた冷暖房構造。
【請求項２】
袋状の水容器が床下空間等の容積が一定な空間部に配置され、特定の熱源の熱により内部の水が循環流動することによって水容器全体を介して床等の伝熱対象に対して伝熱するよう構成した冷暖房構造において、水を充填した水容器内に変形と原形復帰が可能な変形材が収納され、当該変形材の変形により水容器内の水の氷結時における水容器体積の増加の吸収、及び氷解後の水容器の体積減少時における前記伝熱対象に対する水容器の密着を確保するよう構成したことを特徴とする水容器を用いた冷暖房構造。
【請求項３】
変形材は水容器と当該水容器が収納されている空間部の底面との間及び／又は水容器と空間部側面との間に配置されていることを特徴とする請求項１記載の水容器を用いた冷暖房構造。
【請求項４】
変形材は水容器長手方向の両端のうち少なくとも一方の端部に配置されていることを特徴とする請求項１記載の水容器を用いた冷暖房構造。
【請求項５】
変形材は水容器端部両側縁と水容器配置空間部の側壁との間に配置されていることを特徴とする請求項１記載の水容器を用いた冷暖房構造。
【請求項６】
変形材は水容器端部下面部と水容器配置空間部の底面との間に配置されていることを特徴とする請求項１記載の水容器を用いた冷暖房構造。
【請求項７】
変形材は多孔質の変形部とこの変形部を覆う防水皮膜とから構成されていることを特徴とする請求項２記載の水容器を用いた冷暖房構造。
【発明の詳細な説明】
【０００１】
【発明の属する技術分野】
本発明は家屋等の建築構造物の床面或いは天井面を介して内部空間を冷暖房する構造に係り、特に水或いはこれに類する液体を充填した袋状の容器を用いる冷暖房構造に関する。
【０００２】
【従来の技術】
発明者等は水或いはこれに類する液体を充填した袋状の容器を家屋等の構造物の床面下部等に配置し、床面を介して室内空間を冷暖房する構造を提案している（特願平５−１３５１７８号、同５−１９９８３号、同８−２７１３５７、同１０−４２９８１号等）。この冷暖房構造は次のような基本構成を有している。
【０００３】
即ち、図１０及び図１１において、根太と称される仕切材５２により構造物（家屋）の床面の下部に形成された一定の容積を有する空間内に袋状の水容器１がそれぞれ配置されている。これらの水容器１には例えば電気ヒータＥＨ等の熱源が配置されている。暖房時には電気ヒータＥＨ等の熱源からの熱は水容器１に伝達され、水容器１内の水Ｗはこの熱により循環流動して水容器１全体が均一に加熱され、この熱が床面を介して室内に伝達される。また加熱用の熱源の外に例えば冷水の通過するパイプ等を配置することにより夏期には冷房を行うことも可能である。
【０００４】
上記構成の床冷暖房構造では、充填された水Ｗの循環流動により水容器１全体が均一に加熱或いは冷却されるため、加熱用熱源或いは冷却用熱源の何れも、水容器１に対して小型に形成することができる。また媒体が比熱の大きい水であるため、熱源の温度調整を頻繁に行うことなく室内を安定して冷暖房することが可能となる等、床面下部に電気ヒータや温水パイプ等を直接配置した構成に比較して冷暖房の効率及び経済性の何れについても優れた冷暖房構造を提供することが可能となった。
【０００５】
【発明が解決しようとする課題】
上記水容器１を使用する冷暖房構造は上述のように多くの利点を有するが、例えば冬季に比較的長期間家を留守にする等して当該装置を長期間使用しない場合に水容器１内の水Ｗが凍結する可能性がある。水容器１を構成する材料は各種のフィルムを積層した強固な構造となっているため、水容器としての物理的強度には問題がないものの、充填されている水の凍結による体積の増加に対処する必要がある。
【０００６】
発明者等はこの体積増加に対処する手段として図１１に示すように、水を充填した時に、当該水容器１を収納した空間部において当該水容器１の上部に撓み部１ａが形成されるような大きさに水容器を予め形成しておくようにしている（特願平８−２７１３５７の吸収部位３ａに対応）。このように撓み部１ａが形成されていると、水容器内部の水Ｗが凍結することによる体積の増加をこの撓み部１ａにより形成された空間部が吸収することによって体積の増加にある程度対処することが可能となる。
【０００７】
しかしながら、撓み部を大きく設定することは、水容器１の床５１に対する接触面積を減少させることになり好ましいことではない。また例え水容器１のサイズをより大きくして撓み部１ａにより形成される空間部を大きくしようとしても、水圧により撓み部が接触してしまい、撓み部１ａの形成による空間部の大きさには限界がある。更に、撓み部１ａの形成は水容器１の容量だけでなく、水容器１に注水する注水量によっても左右されるが、注水は建築現場で床を張る前に建築作業員によって実施されることが大半であり、適正な撓みを持たせるように注水量を微妙に調節することは困難である。もし仮に注水量が多すぎて撓み部１ａが殆ど形成されていないと、水Ｗの氷結によって増加した体積により床面の変形などの問題も生じる可能性がある。
【０００８】
【課題を解決するための手段】
本発明は上述の問題点に鑑み構成したものであって、水容器が収納される空間部に対して、或いは水容器内に直接に変形材を配置することにより、水の氷結による体積の増加を吸収する空間を確保する手段を設けたことを特徴とする水容器を用いた冷暖房構造である。
【０００９】
【発明の実施の形態】
水容器を収納する空間と水容器との間にスポンジ状の部材、バネ材、或いは波板状の部材等変形と原形復帰が可能な部材を配置し、水の氷結による体積の増加をこれら部材の変形によって吸収するように構成する。またこの変形部材は水容器内に配置し、水容器内で変形するよう構成してもよい。
【００１０】
水容器内の水が氷結すると氷結による体積増加分だけこの変形部部材は変形し、結局体積の増加分を吸収する空間が確保される。逆に水容器内で氷解が開始されると、体積の減少分だけ変形部材はもとに戻り、例えば水容器全体の体積の減少により水容器と床の裏面とが離間する等の問題が生じることはない。
【００１１】
【実施例】
以下本発明の実施例を図面を参考に具体的に説明する。
図１は本発明の第１の実施例を示す。図中、袋状水容器（以下単に「水容器」とする）１と床部下部支持部２との間にはスポンジ状の可撓性材料が変形材３として配置されている。水容器１内の水Ｗが凍結して体積が増加した場合にはその分可撓性材料３が変形することにより水容器１の体積増加分が吸収される。またこの変形材３は多孔質に形成されることにより、極めて高い断熱性を発揮することが可能となるため、水容器１内の熱を床部下部支持部２を介して無駄に放熱されるのを防止する断熱材として利用することも可能である。
【００１２】
また図示の構成でも水容器１には撓み部１ａが形成されているが、凍結による体積の増加分はあくまでも変形材３の変形により吸収するものであり、撓み部１ａは水容器１自体が体積の増加に対応できる大きさに形成されていればよく、従って符号１ａ´のように撓み部を大きくとっておいてもよい。なお図示の水容器１は変形材との取り合わせ関係が明瞭に判るよう、電気ヒータ等発熱体が設置されていない部分の断面を示している。以下各実施例についても同様である。
【００１３】
図２は第２の実施例を示す。
この実施例では変形材４として波板材が水容器１の両側と仕切り材５２との間にそれぞれ配置されている。この構成では氷結による水容器１の変形は水容器１の両側方向に行われ、変形材４の波型が変形することにより、水容器１の膨張に対応する空間が確保される。また図示しないがこの変形材４を前記可撓性材料と同様に床部下部支持材２と水容器１との間に配置してもよいし、また可撓性材料である前記変形材３と併用するようにしてもよい。
【００１４】
図３は第３の実施例を示す。
図中符号５は変形材であって、例えば図１に示す可撓性材料３のようににスポンジ状の多孔質の材料から形成されている。この変形材５は例えば水容器１の長手方向に位置する筒状に形成されたり、或いは複数個の独立した塊とし形成されている。この変形材５は床部下部支持部２と水容器１との間に配置されているため、袋として構成されている水容器１は変形材５が配置されることにより変形材配置部において変形材の外形に沿うようにして撓み部１ｂが形成されることになる。
【００１５】
水Ｗの凍結による体積の増加はこの撓み部１ｂを介して変形材５が縮小変形することにより吸収される。即ち水容器１において撓み部１ｂが、内部体積の増加を吸収する余裕部となるため、この実施例では前記各実施例のように、別途撓み部１ａを形成する必要はなく、水容器１の上面全体を床板５１に密着するよう構成することが可能となる。
【００１６】
図４は第４の実施例を示す。符号６は変形材であって、この変形材は前記した３つの実施例と相違して水容器１内に配置されている。図５の符号６Ａはこの変形材６の構造を示す。変形材６は筒状、或いは複数のボール状に形成されたものが水容器１内に収納されている。変形材６はスポンジ状の多孔質の変形部６ａと、この変形部６ａ全体を覆う防水皮膜６ｂとから構成されている。
【００１７】
氷結による体積の増加はこの変形材が、体積の増加に対応して符号６Ｂのように収縮変形することにより吸収される。因みに、防水皮膜６ａがない場合には変形部そのものに水が侵入してしまっているので体積膨張を吸収する作用は生じない。この実施例では水Ｗの中に変形部が配置されることにより水容器１内に体積膨張を吸収する空間部が確保されている。このため体積の膨張によって水容器１の表面積は増加せず、従って前記第３の実施例と同様、水容器１に撓み部１ａを形成する必要はない。
【００１８】
図６は第５の実施例を示す。この実施例では水容器１に対する注水量を低減することにより形成された空間部を体積の膨張を許容する空間として利用するものであって、図４の第４の実施例をより簡素化したものといえる。符号７は水容器１内の水Ｗの上部に形成された空間部を示す。この実施例においては床５１に対する伝熱は水容器１内の空間部７を介して間接的に行われる。即ち水Ｗから気化した水蒸気が床５１と密着する水容器上部において凝結して潜熱を放出する。つまり水蒸気が水Ｗと水容器上部との間を循環流動することによる潜熱の放出により床５１に対して効率的に熱を供給することができる。また水Ｗの凍結による体積の増加はこの空間部７により吸収される。
【００１９】
図７は第６の実施例を示し、水容器１の長手方向両端のうち少なくとも一方の端部に変形材を配置して体積膨張に対する空間部を確保するよう構成している。先ず図７（Ａ）は水容器１の端部の両側縁と仕切材５２との間に波板状の変形材８がそれぞれ配置されている。凍結による水容器全体の体積の膨張は、この水容器１の端部に集中し、変形材８はこの膨張に対応して変形し、水容器１全体の体積の膨張を許容する。因みに、水容器１内の水は瞬間的に凍結するものではなく、周囲の温度の低下に対応して、水Ｗの中に氷結部が形成され、内部の水が完全に氷結するまではシャーベット状の流動状態を確保しているので、水容器全体の体積の膨張はこの内部流体の流動により変形材８が配置されている空間部に集中することになる。
【００２０】
同図（Ｂ）は変形材（符号９で示す）としてヘアピン状に屈曲させた板ばねを用いている。この変形材９を用いた構成では水容器１の体積の膨張によりヘアピン状の板ばねである変形材９が閉じ合わせる方向に屈曲変形することによって水容器１の膨張を許容する。
【００２１】
図８は第７の実施例を示す。この実施例は図７（Ｂ）に示す構成の変形であって、変形材としてヘアピン状の板ばね（符号１０で示す）が水容器１の端部と床部下部支持部２との間に介在配置されている。水容器１の体積の膨張はこのヘアピン状の板ばね１０のうち水容器１の端部を支持している側が床部下部支持部２側に屈曲下降することにより許容される構成となっている。この実施例では水容器１の端部上面全体を床部５１に密着させることができる。従って図７のように変形材８、９を配置することにより当該空間部が水容器１と床部５１との非接触空間となることがなく、伝熱効率をその分高めることができる。
【００２２】
図９は第８の実施例を示す。この実施例も前記図７（Ｂ）及び図８に示す実施例の変形例である。同図において、変形材として側面形状がヘアピン状に屈曲された板ばね（符号１１で示す）が水容器１の長手方向側縁の少なくとも一部と仕切材５２との間に介在配置されている。水容器１の体積の膨張はこの板ばね１１のうち水容器１の側縁を支持している側が仕切材５２側に屈曲することにより許容される構成となっている。この実施例の構成でも、前記実施例７の場合と同様に水容器１の上面全体を床部５１に密着させることができる。
【００２３】
【発明の効果】
以上、各実施例により本発明を説明したように、本発明によれば内部に充填された水或いはこれと同効の流体が氷結することによる袋状水容器全体の体積の増加を、容積が一定の水容器収納空間において変形材の変形により吸収することが可能となるため、万一水容器内の水が凍結しても体積の膨張による床の変形、水容器の一部に対する応力集中による水容器の破損などの問題が生じることがなく、しかも非凍結時においても変形材が原形に復帰することにより水容器を床板等の伝熱対象に密着させるので、温暖地から寒冷地まで、また季節の如何を問わず高い効率でしかも安心して当該冷暖房構造を使用することができる。
【図面の簡単な説明】
【図１】  本発明の第１の実施例を示す水容器と水容器収納空間との断面図である。
【図２】  本発明の第２の実施例を示す水容器と水容器収納空間との断面図である。
【図３】  本発明の第３の実施例を示す水容器と水容器収納空間との断面図である。
【図４】  本発明の第４の実施例を示す水容器と水容器収納空間との断面図である。
【図５】  図４に示す実施例における変形材の変形状態を示す変形材断面図である。
【図６】  本発明の第５の実施例を示す水容器と水容器収納空間との断面図である。
【図７】  （Ａ）及び（Ｂ）は本発明の第６の実施例を示す水容器と水容器収納空間との平面図である。
【図８】  本発明の第７の実施例を示す水容器と水容器収納空間との縦断面図である。
【図９】  本発明の第８の実施例を示す水容器と水容器収納空間との断面図である。
【図１０】  家屋床面に於ける水容器の配置状態を示す床面下部の平面図である。
【図１１】  図１０のＡ−Ａ線による断面図である。
【符号の説明】
１  水容器
２  床部下部支持部
３  変形材（多孔質可撓性材料）
４  変形材（波板材）
５  変形材
６  変形材（水中配置用）
７  水容器内空間部
８  変形材（水容器端部側縁配置型波板材）
９  変形材（水容器端部側縁配置型板ばね）
１０  変形材（水容器端部下面配置型板ばね）
１１  変形材（水容器側縁配置型板ばね）
５１  床
５２  仕切材
【図１】
0004011236.tif 000002
【図２】
0004011236.tif 000003
【図３】
0004011236.tif 000004
【図４】
0004011236.tif 000005
【図５】
0004011236.tif 000006
【図６】
0004011236.tif 000007
【図７】
0004011236.tif 000008
【図８】
0004011236.tif 000009
【図９】
0004011236.tif 000010
【図１０】
0004011236.tif 000011
【図１１】
0004011236.tif 000012